(57)【特許請求の範囲】
【請求項１】
環境放射線を測定するためのものであって、被写体から放出される放射線量の分布状態を二次元画像で表示するガンマカメラを調整するためのガンマカメラ調整装置であって、
放射線源を移動可能に保持する保持機構を具備し、
前記保持機構が、前記放射線源を一定又は可変速度で移動させ、
可搬型であることを特徴とするガンマカメラ調整装置。
【請求項２】
前記保持機構が、前記放射線源を移動させる移動範囲を複数の領域に分けて、前記領域毎に異なる速度で、前記放射線源を移動させることを特徴とする請求項１記載のガンマカメラ調整装置。
【請求項３】
前記保持機構が、互いに垂直に交わる２つの座標軸上の任意の位置に前記放射線源を移動可能なものであることを特徴とする請求項１又は２記載のガンマカメラ調整装置。
【請求項４】
請求項１、２又は３に記載されたガンマカメラ調整装置と、環境放射線を測定するためのものであって、被写体から放出される放射線量の分布状態を二次元画像で表示するガンマカメラとを備え、
前記ガンマカメラが、前記被写体を撮像する撮像領域を基準領域と少なくとも１以上のその他の領域に分けるとともに、前記基準領域の感度を基準として前記その他の領域の感度を補正する補正係数を算出することを特徴とするガンマカメラシステム。
【発明の詳細な説明】
【技術分野】
【０００１】
本発明は、ガンマカメラを調整するガンマカメラ調整装置及びガンマカメラシステムに関する。
【背景技術】
【０００２】
例えば、除染対象地域における環境放射線の分布の可視化や汚染状況を把握する際に、ガンマカメラが用いられている。ここでガンマカメラとは、例えば特許文献１に記載されているように、被写体から放出されるガンマ線の分布状態を二次元画像として表示するものである。
【先行技術文献】
【特許文献】
【０００３】
【特許文献１】特開２０１３−３３００９号公報
【発明の概要】
【発明が解決しようとする課題】
【０００４】
ところで、上述したようなガンマカメラでは、放射線を放出する物質が封印された基準放射線源（以下、放射線源ともいう）を用いてカメラの調整を行っているが、上記放射線源は５００円玉位の非常に小さいものであり、点線源となってしまうので、ガンマカメラの二次元画像の調整を行うことができない。
【０００５】
そこで、従来では放射線源を多数用意してこれらを多点においた２次元線源を作成して二次元画像を調整したり、実際に放射線源が放出されている現場で二次元画像を調整したりしている。
【０００６】
しかしながら、放射線物質である放射線源の取り扱いには様々な制約が課せられる。そのため、これを複数所持するとなると、ユーザに負担を強いることとなる。また、放射線源が放出される現場でガンマカメラを調整するとなると調整時間が余分にかかり、現場での滞在時間が延びることによって人体に悪影響が表れる可能性もある。
【０００７】
さらに、上述したガンマカメラが撮像する撮像対象は、環境放射線等、例えば除染対象地域、計画的非難区域や居住制限区域等の広範囲に及ぶので、ガンマカメラは広範囲を撮像するために視野角を広くする必要があり（例えば視野角１００度）、視野角を広げることによってガンマカメラのセンサの感度にバラツキが生じてしまう。
【０００８】
そのため、感度のバラツキを少しでも抑えるためにガンマカメラの調整を頻繁に行う必要があるが、現状の調整方法ではガンマカメラの調整を頻繁に行うことが難しい。
【０００９】
本発明は上記問題に鑑み、ユーザに負担を強いることなく、安全にガンマカメラの二次元画像の調整を行うことができるガンマカメラ調整装置を提供することをその主たる課題とするものである。
【課題を解決するための手段】
【００１０】
本発明のガンマカメラ調整装置は、被写体を撮像した画像に被写体から放出される放射線量の分布状態を重ね合わせた二次元画像を表示するガンマカメラを調整するためのガンマカメラ調整装置であって、放射線源を移動可能に保持する保持機構を具備し、前記保持機構が、前記放射線源を一定又は可変速度で移動させることを特徴とする。
【００１１】
上述の構成によれば、保持機構によって移動させた放射線源が描く軌跡が擬似二次元線源となるので、少なくとも１つの放射線源があれば二次元線源を構成することができ、多数の放射線源を用いずにガンマカメラの二次元画像の調整を行うことができ、ユーザにかかる負担を減らすことができる。
また、放射線源が放出されている現場に赴かずとも、上記擬似二次元線源を用いてガンマカメラの二次元画像を調整することができるので、安全にガンマカメラの調整を行うことができる。
さらに、本発明のガンマカメラが撮像する撮像対象の放射線量が、計画的非難区域や居住制限区域や労働者の被爆線量等、数μＳｖ／ｈ程度の比較的低い放射線量である場合、用いる線源も１ＧＢｑ未満の管理区域での保管を必要としないものを使用できる（例えば、１ＭＢｑ程度）。そのため、本発明では、ガンマカメラ調整装置を使用する場所が限定されることなく、任意の場所で自在にガンマカメラ調整装置を使用することができ、加えて、ガンマカメラ調整装置及びガンマカメラを可搬型に構成すれば、ガンマカメラ調整装置及びガンマカメラをユーザの所望する場所に運んで調整を行うことができる。
また、頻繁にガンマカメラを調整する必要が生じた場合でも、本発明のガンマカメラ調整装置を用いて簡便にガンマカメラを調整することができる。
【００１２】
ここで、ガンマカメラ調整装置の保持機構が一定速度で放射線源を移動させた場合、この放射線源が描く軌跡は線量が一定の擬似二次元線源となり、保持機構が可変速度で放射線源を移動させた場合、この放射線源が描く軌跡は線量を変化させた擬似二次元線源となる。そのため、保持機構が放射線源を移動させる速度を適宜変更することで、擬似二次元線源の線量のバリエーションを増やすことができ、ガンマカメラが撮像する被写体に合わせて擬似二次元線源の線量を変化させて、ガンマカメラを精度よく調整することができる。
【００１３】
この線量のバリエーションを増やした擬似二次元線源の具体的な一態様としては、前記保持機構が、前記放射線源を移動させる移動範囲を複数の領域に分けて、前記領域毎に異なる速度で、前記放射線源を移動させるものを挙げることができる。
【００１４】
このように構成すれば、擬似二次元線源の線量を領域毎に変えることができるので、１つの擬似二次元線源の中に線量の異なる複数の領域が形成される。そのため、１つの擬似二次元線源の中に、線量のバリエーションを設けてガンマカメラをより細かく調整することができる。
【００１５】
本発明にかかるガンマカメラ調整装置の別の具体的な一態様としては、前記保持機構が、互いに垂直に交わる２つの座標軸上の任意の位置に前記放射線源を移動可能なものを挙げることができる。
【００１６】
このように構成すれば、放射線源が移動する軌跡のバリエーションを増やして擬似二次元線源の形態のバリエーションを増やすことができるので、ガンマカメラが撮像する被写体の形態に合わせた擬似二次元線源を用いて調整を行うことができる。
【００１７】
また、上述したように構成したガンマカメラ調整装置と、被写体から放出される放射線量の分布状態を二次元画像で表示するガンマカメラとを備えるガンマカメラシステムも本発明の１つである。
具体的に本発明のガンマカメラシステムは、上述したように構成したガンマカメラ調整装置と、被写体から放出される放射線量の分布状態を二次元画像で表示するガンマカメラとを備え、前記ガンマカメラが、前記被写体を撮像する撮像領域を基準領域とそれ以外の少なくとも１以上のその他の領域に分けるとともに、前記基準領域の感度を基準として前記その他の領域の感度を検出し、前記その他の領域の感度が前記基準領域の感度となるように補正する補正係数を算出することを特徴とする。
【００１８】
上述したようにガンマカメラが、計画的非難区域や居住制限区域等の広域な地域を撮像する場合、ガンマカメラの視野角を比較的大きく広げる（例えば視野角１００度等）必要が生じるが、視野角を広げると、撮像領域に配置された各々の被写体とガンマカメラとの距離がまちまちになるので、検出感度のバラツキが生じてしまう。
しかしながら、本発明のガンマカメラシステムは、基準領域の感度を基準としてその他の領域の感度を検出し、その他の領域の感度が基準領域の感度となるように補正する補正係数を算出するので、広域を撮像するために視野角を広げたような場合であっても、この補正係数に基づいて感度のバラツキを抑えることができる。
【発明の効果】
【００１９】
本発明によれば、ユーザに負担を強いることなく、安全にガンマカメラの二次元画像の調整を行うことができるガンマカメラ調整装置を提供することができる。
【図面の簡単な説明】
【００２０】
【図１】本実施形態におけるガンマカメラシステムを示す概略図。
【図２】第１実施形態におけるガンマカメラ調整装置を示す平面図。
【図３】第２実施形態におけるガンマカメラ調整装置を示す平面図。
【図４】（ａ）（ｂ）第２実施形態におけるガンマカメラ調整装置において放射線源が描く軌跡を示す平面図。
【図５】本実施形態におけるガンマカメラシステムの一例を示す模式図。
【図６】本実施形態におけるガンマカメラシステムにおけるガンマカメラの視野角、撮像画像、カウント数を示す表。
【図７】本実施形態におけるガンマカメラシステムの視野角に対する感度比を示すグラフ。
【図８】本実施形態におけるガンマカメラシステムにおけるガンマカメラの撮像領域を示す模式図。
【発明を実施するための形態】
【００２１】
本発明のガンマカメラシステムは、環境放射線等、例えば原発事故等において設定される計画的避難区域や居住制限区域や、労働者の被爆線量、汚染状況重点調査地域等において被写体から放出される放射線量を測定するためのものであって、被写体から放出される放射線量の分布状態を二次元画像で表示するガンマカメラＸと、ガンマカメラＸを調整するガンマカメラ調整装置１とを具備する。なお、ここで調整とは、ガンマカメラＸの補正や校正を行うことを指す。
【００２２】
ガンマカメラＸについて説明する。
本実施形態におけるガンマカメラＸは、被写体から放出される放射線量の分布状態を二次元画像に表示するものであって、本実施形態では、コンプトン散乱の原理を用いたＥＴＣＣ（電子飛跡検出型コンプトンガンマ線カメラ）を用いたものである。これは、入射ガンマ線がコンプトン散乱を起こした際に発生する反跳電子と散乱ガンマ線を電子飛跡検出器とシンチレーション検出器でそれぞれ検出することにより、入射ガンマ線の飛来方向を特定することができる。また、本実施形態においてガンマカメラＸは可搬型のものを用いることができる。
【００２３】
しかして、本実施形態のガンマカメラ調整装置１は、図１に示すように、ガンマカメラＸと対向するように配置されてガンマカメラＸを調整する可搬型のものである。このガンマカメラ調整装置１について、以下２つの実施形態を用いて説明する。
＜第１実施形態＞
【００２４】
第１実施形態におけるガンマカメラ調整装置１ａは、図２に示すように、放射線を放出する物質が封印された放射線源６を移動させて、放射線源６の軌跡をガンマカメラＸで撮像するものであって、放射線源６を移動可能に保持する保持機構２と、保持機構２を制御する制御部３とを具備する。なお、本実施形態における放射線源６は密封されたものを用いている。
【００２５】
保持機構２は、放射線源６を保持する保持部４と、保持部４を回転駆動させる駆動部５とを具備する。
【００２６】
保持部４は、放射線源６を保持する保持部本体４ａと、保持部本体４ａを回転駆動させたときの回転中心となる支軸４ｂとを具備する。
保持部本体４ａは、中空の円筒部材４１と、円筒部材４１の略中央部で交わる複数の枠骨４２とを具備し、この枠骨４２の少なくとも１つに放射線源６を保持させるものである。
支軸４ｂは、複数の枠骨４２が互いに交差する交差部４３に設けられた孔部に挿入されるものである。
【００２７】
駆動部５は、コンデンサやモータ等を具備したものであって、支軸４ｂに接続され、支軸４ｂを回転させることによって保持部本体４ａを回転させる駆動部本体５ａと、駆動部本体５ａに動力を供給する筐体形状の動力供給部５ｂと、駆動部本体５ａと動力供給部５ｂとの間を接続し、動力供給部５ｂから駆動部本体５ａへ動力を供給する図示しないコードが内包された筒形状の接続部５ｃとを具備する。
【００２８】
制御部３は、構造的には、ＣＰＵ、メモリ、Ａ／Ｄコンバータ、Ｄ／Ａコンバータ、通信ポートなどからなるコンピュータ本体と、このコンピュータ本体に接続されたキーボード、マウスなどの入力手段及びディスプレイとからなるものである。そして、入力手段から入力された情報に基づいて、内部メモリの所定領域に格納した制御プログラムに従って動作し、ＣＰＵ及び周辺機器が協働動作するものである。
【００２９】
第１実施形態のガンマカメラ調整装置１ａの動作について以下説明する。
【００３０】
オペレータが制御部３の入力手段に設けられたガンマカメラＸの調整を開始する図示しないスタートボタンを押すと、制御部３は該スタート情報を受け付けて保持機構２を作動させる。
【００３１】
保持機構２では、動力供給部５ｂから接続部５ｃを介して駆動部本体５ａへ動力を供給し、駆動部本体５ａは支軸４ｂを回転させることによって、保持部本体４ａを所定方向に回転させる。すると、保持部本体４ａに保持された放射線源６が回転する。そのため、放射線源６は円形状の軌跡を描く。
【００３２】
このように放射線源６を回転させている状態のガンマカメラ調整装置１ａを、ガンマカメラＸで撮像する。
このとき、ガンマカメラＸのシャッタを開けた状態で所定時間放置すると、ガンマカメラＸは、放射線源６が描く軌跡を撮像することとなる。つまり、放射線源６が描く軌跡が擬似二次元線源となるので、この擬似二次元線源を用いてガンマカメラＸを調整することができる。本実施形態では、放射線源６が円形状の軌跡を描くので、円形状の擬似二次元線源を用いて、ガンマカメラＸを調整することができる。
【００３３】
上述したように構成したガンマカメラ調整装置１ａは、以下のような格別な効果を有する。
【００３４】
つまり、保持機構２によって移動させた放射線源６が描く軌跡が、擬似二次元線源となるので、少なくとも１つの放射線源６があれば二次元線源を構成することができ、多数の放射線源を用いずにガンマカメラＸの二次元画像の調整を行うことができ、ユーザにかかる負担を減らすことができる。
また、放射線源６が放出されている現場に赴かずとも、上記擬似二次元線源を用いてガンマカメラＸの二次元画像を調整することができるので、安全にガンマカメラＸの調整を行うことができる。なお、上記放射線源６が密封されたものであるので、より安全性を高めることができる。
さらに、ガンマカメラＸが撮像する撮像対象の放射線量が、計画的非難区域や居住制限区域や労働者の被爆線量等、数μＳｖ／ｈ程度の比較的低い放射線量であるので、用いる線源も１ＧＢｑ未満の管理区域での保管を必要としないものを使用できる（例えば、１ＭＢｑ程度）。そのため、ガンマカメラ調整装置１ａを使用する場所が限定されることなく、任意の場所で自在にガンマカメラ調整装置１ａを使用することができ、加えて、ガンマカメラ調整装置１ａ及びガンマカメラＸを可搬型に構成すれば、ガンマカメラ調整装置１ａ及びガンマカメラＸをユーザの所望する場所に運んで調整を行うことができる。
また、頻繁にガンマカメラＸを調整する場合でも、ガンマカメラ調整装置１ａを用いて簡便にガンマカメラＸを調整することができる。
＜第２実施形態＞
【００３５】
第２実施形態におけるガンマカメラ調整装置１ｂは、第１実施形態におけるガンマカメラ調整装置１ａと放射線源６を保持する保持機構の構成が異なる。なお、第１実施形態と同様の部分については同一の符号を付し、説明を省略する。
【００３６】
第２実施形態におけるガンマカメラ調整装置１ｂは、図３に示すように、ロボットアームで構成され、放射線源６を移動可能に保持する保持機構１０と、保持機構１０を制御する制御部３とを具備する。
【００３７】
保持機構１０は、互いに垂直に交わる２軸上の任意の位置に放射線源６を移動可能に保持するものであって、複数のアーム部１２（１２ａ、１２ｂ、１２ｃ）と、可動域を有するようにアーム部１２同士を連結する複数の節部１３（１３ａ、１３ｂ）と、モータ等の動力供給源を内包した筐体形状のベース部１５とを具備する。
【００３８】
ここで、本実施形態において、互いに垂直に交わる２軸とは、ガンマカメラＸと放射線源６との相対距離を変えることなく、一方が水平方向、他方が鉛直方向を向く方向を指すものである。
【００３９】
本実施形態において、アーム部１２ａは、節部１３ａを介してアーム部１２ｂと接続されている。また、アーム部１２ｂは、節部１３ｂを介してアーム部１２ｃと接続されている。アーム部１２ｃは、アーム部１２ｃに可動域を設ける接続部材１４を介してベース部１５に接続されている。
【００４０】
しかして、一番端に配置されたアーム部１２ａの先端には、放射線源６が保持されている。
そして、各節部１３ａ、１３ｂ、１３ｃ及び接続部材１４には、図示しないギアが設けられており、このギアには、図示しないコードを介してベース部１５の動力供給源から動力が供給される。この動力によってギアを回転させることにより、アーム部１２（１２ａ、１２ｂ、１２ｃ）を節部１３（１３ａ、１３ｂ）又は接続部材１４を回転軸として回転移動させるものである。
【００４１】
第２実施形態のガンマカメラ調整装置１ｂの動作について以下説明する。
【００４２】
オペレータが制御部３の入力手段に設けられたガンマカメラＸの調整を開始する図示しないスタートボタンを押すと、制御部３は該スタート情報を受け付けて保持機構１０を作動させるとともに、オペレータが予め入力したプログラムに基づいて制御信号を生成し、この制御信号を保持機構１０へ送信する。保持機構１０は、該制御信号を受け付けて放射線源６を移動させる。具体的には、動力供給源から節部１３や接続部材１４に設けられたギアに供給する動力を制御し、アーム部１２（１２ａ、１２ｂ、１２ｃ）を移動させて放射線源６を互いに垂直に交わる２つの座標軸上の所望の位置に移動させる。
【００４３】
この放射線源６の移動経路としては、直線移動させてもよいし、特定の方向に向かって往復移動させてもよい。この場合、例えば、放射線源６を図４に示すように、ガンマカメラＸに対して水平方向（以下説明のため、Ａ方向という）に直線移動させて、Ａ方向とは垂直な方向（以下説明のため、Ｂ方向という）に直線移動させた後、Ａ方向とは反対方向（以下説明のため、Ｃ方向という）に直線移動させ、また、Ｂ方向に直線移動させて、今度はＡ方向に直線移動させるという動作を繰り返すように、制御部３は制御信号を送信する。
【００４４】
または、一点に向かって収斂するように移動させることもできる。この場合、例えば図４（ａ）に示すように、放射線源６をガンマカメラＸに対して水平方向（以下説明のため、Ｄ方向という）に直線移動させて、Ｄ方向とは垂直な方向（以下説明のため、Ｅ方向という）に直線移動させた後、Ｄ方向とは反対方向（以下説明のため、Ｆ方向という）に直線移動させ、今度は、Ｅ方向とは反対方向（以下説明のため、Ｇ方向という）に直線移動させて、また、Ｄ方向に直線移動させるという動作を繰り返させるとともに、その移動させる距離が徐々に短くなるように、制御部３は制御信号を送信する。
【００４５】
さらに上述した動作において、移動速度に緩急を設けることもできる。
【００４６】
そして、放射線源６を移動させている状態のガンマカメラ調整装置１ｂを、ガンマカメラＸで撮像する。
このとき、第１実施形態と同様に、ガンマカメラＸのシャッタを開けた状態で所定時間放置すると、ガンマカメラＸは、放射線源６が描く軌跡を撮像することとなる。つまり、放射線源６が描く軌跡が擬似二次元線源となるので、この擬似二次元線源を用いてガンマカメラＸを調整することができる。本実施形態では、放射線源６が直線移動する場合、矩形状の軌跡を描くので、ガンマカメラＸは矩形形状の擬似二次元線源を撮像することができる。また、放射線源６が所定の方向に向かって往復移動する場合や一点に向かって収斂する場合、放射線源６は略正方形状の軌跡を描くので、ガンマカメラＸは略正方形状の擬似二次元線源を撮像することができる。
【００４７】
また、放射線源６の移動速度を一定にすると、擬似二次元画像の線量を一定にすることができ、放射線源６の移動速度に緩急を設けると、移動速度が早くなれば擬似二次元画像の線量を薄くすることができるとともに、移動速度が遅くなれば擬似二次元画像の線量を濃くすることができる。
【００４８】
そのため、例えば図４（ｂ）に示すように、放射線源６を所定方向に向かって往復移動させる場合にその移動させる範囲を複数の領域（Ａ領域、Ｂ領域、Ｃ領域）に分けて、それぞれの領域（Ａ領域、Ｂ領域、Ｃ領域）毎に異なる速度（ａ速度、ｂ速度、ｃ速度）で、放射線源６を等速移動させることで、１つの擬似二次元線源の中に線量のバリエーションを設けることができる。
【００４９】
上述したように構成したガンマカメラ調整装置１ｂは、以下のような格別な効果を有する。
【００５０】
つまり、第２実施形態の保持機構１０では、放射線源６を互いに垂直に交わる２つの座標軸上の任意の位置に移動させることができるので、放射線源６を移動させる軌跡のバリエーションを増やすことができる。そのため、擬似二次元線源の形態のバリエーションを増やすことができるので、ガンマカメラＸが撮像する被写体の形態に合わせた擬似二次元線源を用いて調整を行うことができる。
【００５１】
また、保持機構１０が一定速度で放射線源６を移動させた場合、この放射線源６が描く軌跡は線量が一定の擬似二次元線源となり、保持機構１０が可変速度で放射線源６を移動させた場合、この放射線源６が描く軌跡は線量を変化させた擬似二次元線源となるので、保持機構１０が放射線源６を移動させる速度を適宜変更して、擬似二次元線源の線量のバリエーションを増やすことができる。そのため、ガンマカメラＸが撮像する被写体に合わせて擬似二次元線源の線量を変化させて、ガンマカメラＸを精度よく調整することができる。
【００５２】
加えて、放射線源６を所定方向に向かって往復移動させる場合、その移動させる範囲を複数の領域（Ａ領域、Ｂ領域、Ｃ領域）に分けて、それぞれの領域（Ａ領域、Ｂ領域、Ｃ領域）で放射線源６を移動させる移動速度（ａ速度、ｂ速度、ｃ速度）を変えるので、擬似二次元線源の線量を領域毎に変えて、１つの擬似二次元線源の中に線量の異なる領域を複数設けることができる。そのため、線量のバリエーションを設けた１つの擬似二次元線源でガンマカメラＸをより細かく調整することができる。
【００５３】
＜ガンマカメラシステム＞
次に上述したガンマカメラ調整装置を用いた本実施形態のガンマカメラシステムについて説明する。
【００５４】
ガンマカメラ調整装置が放射線源を移動させた軌跡が擬似二次元線源となることは上述した通りであるが、ここで、擬似二次元線源の線量がガンマカメラと線源との位置関係に依存して変化することが分かっている。
【００５５】
例えば、ガンマカメラ調整装置が放射線源を水平方向に等速直線運動させると、放射線源が描く軌跡からなる略矩形形状の擬似二次元線源の線量は、いずれの位置においても同じとなるのが理想であるが、実際には、擬似二次元線源の線量は異なる。
【００５６】
図６は、ガンマカメラ調整装置が放射線源を水平方向に等速直線運動させた場合に、ガンマカメラが撮像した擬似二次元線源の放射線量の分布を示すものである。
【００５７】
ここで視野角とは、図５に示すように、ガンマカメラＸの正面の略中央の一点から水平に伸びる線を基準線とし、この基準線と、該一点とガンマカメラ調整装置が保持する放射線源とを結んだ線との間の角度のことである。また、カウント数とは、３０００ｓｅｃの間にガンマカメラがカウントした電子のことである。
【００５８】
図６に示すように、視野角０度、つまりガンマカメラＸの正面における放射線量の分布は、中心部分の放射線量が高く、カウント数も３６５．３６であるのに対し、視野角が１２．５度又は−１２．５度における放射線量分布は、視野角０度のときと比べると中心部分の放射線量が小さくなるとともに、カウント数も小さくなり、視野角が２５度又は−２５度における放射線量分布は、視野角０度及び１２．５度、−１２．５度のときと比べると中心部分の放射線量が減少するとともにカウント数も小さくなっていることが分かる。
【００５９】
また、図７は視野角０度のときのカウント数を基準として、それぞれのカウント数における感度比をそれぞれ視野角１２．５度、−１２．５度、２５度、−２５度のときに求めたグラフである。この感度比は、視野角０度としたときのカウント数の感度を１とした場合に、それぞれの視野角での感度をカウント数から求めたものであって、視野角１２．５度のときの感度は０．８９、視野角−１２．５度のときの感度は０．９２、視野角２５度のときの感度は０．７、視野角−２５度のときの感度は０．７２となる。つまり、このグラフに示すように、視野角０度のときの感度が最大となり、視野角が広がるにつれて感度が小さくなっていくことが分かる。
【００６０】
そのため、ガンマカメラの視野角が広がるにつれて検出感度が下がるので、これを補正する必要が生じる。
【００６１】
そこで、本実施形態のガンマカメラシステムは、ガンマカメラが撮像する撮像領域を基準領域と少なくとも１以上のその他の領域に分けるとともに、基準領域の感度を基準としてその他の領域の感度を補正する補正係数を算出する。
【００６２】
具体的には、図８に示すように、視野角０度において撮像する撮像領域を基準領域、視野角０度〜１０度までの領域を第１領域、視野角１０度〜２０度までの領域を第２領域、視野角２０度〜３０度までの領域を第３領域、視野角３０度〜４０度までの領域を第４領域、視野角４０度〜５０度までの領域を第５領域というように視野角の範囲によって、ガンマカメラが撮像する撮像領域を基準領域とその他の複数の領域に分ける。
【００６３】
そして、基準領域のカウント数を基準として、その他の領域（第１領域、第２領域、第３領域、第４領域、第５領域）のカウント数から補正係数を算出する。
例えば基準領域の３０００ｓｅｃの間のカウント数が３６０であり、第１領域の３０００ｓｅｃの間のカウント数が３３０であったとすると、第１領域の補正係数は、３６０／３３０から１．０９となる。
【００６４】
そして、この補正係数を用いてそれぞれ撮像領域のカウント数を補正することで、より精度よくガンマカメラで撮像を行うことができる。
【００６５】
以上のように構成した本発明のガンマカメラシステムでは、計画的非難区域や居住制限区域等の広域な地域を撮像する場合、所定の領域における分布の可視化には広い視野角が必要となるが、ガンマカメラの視野角を大きく広げた場合であっても、基準領域の感度を基準としてその他の領域の感度を検出し、その他の領域の感度が基準領域の感度となるように補正する補正係数を算出するので、この補正係数に基づいて感度のバラツキを抑えて精度よく撮像を行うことができる。
【００６６】
本発明は、上記実施形態に限られたものではない。
【００６７】
本実施形態のガンマカメラ調整装置に用いられるガンマカメラは、上述したＥＴＣＣに限られたものではなく、例えばピンホール型のものを用いることも可能である。
【００６８】
保持機構が保持する放射線源は１つに限られず、複数の放射線源を保持するものであっても構わない。
【００６９】
また、保持機構は、上述した第１実施形態や第２実施形態に限られたものではなく、例えば放射線源を一定又は可変速度で移動させることができるものであれば、様々な構成を用いることができる。
【００７０】
保持機構が放射線源の移動速度を変える構成は、第２実施形態に限られたものではなく、例えば第１実施形態における保持機構において、放射線源の回転速度を変えることもできる。
【００７１】
さらに、放射線源を移動させる範囲を複数の領域に分ける構成は、第２実施形態に限られたものではない。例えば一点に向かって収斂するように放射線源を移動させる場合、収斂させる一点からの距離に応じて放射線源を移動させる範囲を複数の領域に分けて、一点に近い領域ほど移動速度が速くなるように構成すれば、一点に近づくほど放射線量の濃い擬似二次元線源を作成することができる。
【００７２】
また、ガンマカメラを補正する補正係数を算出する場合、上記実施形態では、視野角０度を基準領域とするものであったが視野角が０度以外の角度の位置を基準領域として補正係数を算出してもよい。
【００７３】
本発明は、その趣旨に反しない範囲で様々な変形が可能である。
【符号の説明】
【００７４】
１・・・ガンマカメラ調整装置
２、１０・・・保持機構
６・・・放射線源
【図１】
0006453568.tif 000002
【図２】
0006453568.tif 000003
【図３】
0006453568.tif 000004
【図４】
0006453568.tif 000005
【図５】
0006453568.tif 000006
【図６】
0006453568.tif 000007
【図７】
0006453568.tif 000008
【図８】
0006453568.tif 000009